(57)【特許請求の範囲】
【請求項１】
表示画面を見る方向に対して異なる表示形態にて表示することができる表示手段と、
各人を識別するための識別情報のうち、表示手段にて表示される情報を見ることが許可されている人の識別情報を許可識別情報として記憶する記憶手段と、
前記表示手段が設置されている部屋に入室する人の識別情報を特定する特定手段と、
特定手段によって特定された識別情報が、記憶手段に記憶された許可識別情報のいずれかに合致するか否かを判定する判定手段と、
判定手段によって判定された判定結果が、特定手段によって特定された識別情報が記憶手段に記憶される許可識別情報のいずれにも合致しないことを示しているとき、予め定める方向に対する表示形態を、第１の状態から第１の状態とは異なる第２の状態に換えさせる制御手段とを含むことを特徴とする表示装置。
【請求項２】
前記第２の状態は、表示画面に表示される情報が見えない状態であることを特徴とする請求項１に記載の表示装置。
【請求項３】
前記第２の状態は、判定結果の前に表示していた情報に代えて判定結果の前に表示していた情報と異なる情報を表示する状態であることを特徴とする請求項１に記載の表示装置。
【請求項４】
前記予め定める方向は、前記記憶手段に記憶される許可識別情報に合致しない識別情報の人が入室した場所からの方向であることを特徴とする請求項１〜３のいずれか１つに記載の表示装置。
【請求項５】
前記記憶手段に記憶される許可識別情報は、会議に出席する予定の出席予定者の識別情報であることを特徴とする請求項１〜４のいずれか１つに記載の表示装置。
【請求項６】
前記記憶手段に記憶される許可識別情報は、各部屋を使用する予定の時間帯ごとに記憶されることを特徴とする請求項１〜５のいずれか１つに記載の表示装置。
【請求項７】
表示部が設置されている部屋に入室する人の識別情報を特定する特定ステップと、
特定ステップで特定された識別情報が、表示部にて表示される情報を見ることが許可されている人の識別情報を許可識別情報として記憶する記憶部に記憶された許可識別情報のいずれかに合致するか否かを判定する判定ステップと、
判定手段ステップで判定された判定結果が、特定ステップで特定された識別情報が記憶部に記憶される許可識別情報のいずれにも合致しないことを示しているとき、予め定める方向に対する表示部の表示形態を、第１の状態から第１の状態とは異なる第２の状態に換える制御ステップとを含むことを特徴とする表示方法。
【発明の詳細な説明】
【技術分野】
【０００１】
本発明は、情報を表示する表示装置および表示方法に関し、特に表示する情報の第三者への漏洩を防止することができる表示装置および表示方法に関する。
【背景技術】
【０００２】
大型モニタは、ホワイトボードの代わりとして会議室などに設置され、会議への参加者に情報を伝達するために利用されることが増えてきている。第三者が突然会議室に入ってきた場合、大型モニタに表示されている情報が会議室に入ってきた第三者に見られ、秘密にすべき情報が漏洩してしまう可能性がある。第三者に情報が漏洩しないようにする従来の技術として、以下のものがある。
【０００３】
特許文献１に記載される入室管理システムは、ＩＣカードなどの携帯用情報記録媒体に記憶されている分類レベル情報が、予め設定されている入室制限条件を満たすと、電気錠を解錠し、会議室などの特定の区画への入室を許可する。分類レベル情報は、各人に与えられているセキュリティレベルを表す情報である。入室制限条件は、入室を許可するセキュリティレベルを示すモードによって表され、モードは、特定の区画ごとに、かつ時間帯ごとに設定可能である。したがって、モードが示すセキュリティレベルに一致するセキュリティレベルが記憶されたＩＣカードを持参した者だけが入室することができる。
【０００４】
特許文献２に記載される入室経路規制機能を備えたセキュリティシステムは、会議室、研究室あるいは情報管理室などの各セキュリティ領域の出入口に設けられる照合装置によって、進入者が個人登録データに登録されているか照合する。照合装置は、指紋、網膜あるいはキー入力情報を用いて照合する。登録されている進入者が、個人およびグループごとに予め設定された入室経路通りに進む場合にのみ、各出入り口のドアを解錠し、各セキュリティ領域への入室を許可する。
【０００５】
特許文献３に記載される会議環境制御システムは、会議中に用いられる文書に対するアクセス権、および会議中に用いられるタスクに対するアクセス権が制限されている場合、遮蔽装置を立設したり、扉に施錠したり、音声出力装置をスピーカからヘッドホンなどに切替えることによって、文書を外部から見えないようにしたり、会議スペースに関係者以外が入室することができないようにしたり、関係者以外の者に音声が聞かれないようにする。
【０００６】
【特許文献１】特開平１−１６３８９０号公報
【特許文献２】特開２０００−３３１２７２号公報
【特許文献３】特開２００６−１０６８９０号公報
【発明の開示】
【発明が解決しようとする課題】
【０００７】
しかしながら、上述したいずれの従来の技術も、第三者の入室を許可しないようにすることができるが、会議参加登録者以外の者の入室を一切禁止すると、第三者に意見を求める必要が生じた場合に対応することができない。
【０００８】
第三者の入室を許可するための施錠システムを設け、許可後に入室させる場合、表示画面に表示されている情報を表示しないようにするために、人手による操作が必要になるという問題がある。人手による操作の場合、誤操作の可能性があり、表示画面に表示されている情報を見られ、情報が漏洩するということがあり得るという問題がある。
【０００９】
本発明の目的は、第三者が会議室などに入室しても表示画面に表示される情報の第三者への漏洩を防止することができる表示装置および表示方法を提供することである。
【課題を解決するための手段】
【００１０】
本発明は、表示画面を見る方向に対して異なる表示形態にて表示することができる表示手段と、
各人を識別するための識別情報のうち、表示手段にて表示される情報を見ることが許可されている人の識別情報を許可識別情報として記憶する記憶手段と、
前記表示手段が設置されている部屋に入室する人の識別情報を特定する特定手段と、
特定手段によって特定された識別情報が、記憶手段に記憶された許可識別情報のいずれかに合致するか否かを判定する判定手段と、
判定手段によって判定された判定結果が、特定手段によって特定された識別情報が記憶手段に記憶される許可識別情報のいずれにも合致しないことを示しているとき、予め定める方向に対する表示形態を、第１の状態から第１の状態とは異なる第２の状態に換えさせる制御手段とを含むことを特徴とする表示装置である。
【００１１】
また本発明は、前記第２の状態は、表示画面に表示される情報が見えない状態であることを特徴とする。
【００１２】
また本発明は、前記第２の状態は、判定結果の前に表示していた情報に代えて判定結果の前に表示していた情報と異なる情報を表示する状態であることを特徴とする。
【００１３】
また本発明は、前記予め定める方向は、前記記憶手段に記憶される許可識別情報に合致しない識別情報の人が入室した場所からの方向であることを特徴とする。
【００１４】
また本発明は、前記記憶手段に記憶される許可識別情報は、会議に出席する予定の出席予定者の識別情報であることを特徴とする。
【００１５】
また本発明は、前記記憶手段に記憶される許可識別情報は、各部屋を使用する予定の時間帯ごとに記憶されることを特徴とする。
【００１６】
また本発明は、表示部が設置されている部屋に入室する人の識別情報を特定する特定ステップと、
特定ステップで特定された識別情報が、表示部にて表示される情報を見ることが許可されている人の識別情報を許可識別情報として記憶する記憶部に記憶された許可識別情報のいずれかに合致するか否かを判定する判定ステップと、
判定手段ステップで判定された判定結果が、特定ステップで特定された識別情報が記憶部に記憶される許可識別情報のいずれにも合致しないことを示しているとき、予め定める方向に対する表示部の表示形態を、第１の状態から第１の状態とは異なる第２の状態に換える制御ステップとを含むことを特徴とする表示方法である。
【発明の効果】
【００１７】
本発明によれば、表示手段によって、表示画面を見る方向に対して異なる表示形態にて表示され、記憶手段によって、各人を識別するための識別情報のうち、表示手段にて表示される情報を見ることが許可されている人の識別情報が許可識別情報として記憶され、特定手段によって、前記表示手段が設置されている部屋に入室する人の識別情報が特定され、判定手段によって、特定手段によって特定された識別情報が、記憶手段に記憶された許可識別情報のいずれかに合致するか否かが判定される。
【００１８】
そして、制御手段によって、判定手段によって判定された判定結果が、特定手段によって特定された識別情報が記憶手段に記憶される許可識別情報のいずれにも合致しないことを示しているとき、予め定める方向に対する表示形態を、第１の状態から第１の状態とは異なる第２の状態に換えられる。
【００１９】
したがって、第三者が会議室などに入室しても表示画面に表示される情報の第三者への漏洩を防止することができる。
【００２０】
また本発明によれば、特定ステップでは、表示部が設置されている部屋に入室する人の識別情報を特定する。判定ステップでは、特定ステップで特定された識別情報が、表示部にて表示される情報を見ることが許可されている人の識別情報を許可識別情報として記憶する記憶部に記憶された許可識別情報のいずれかに合致するか否かを判定する。
【００２１】
そして、制御ステップでは、判定手段ステップで判定された判定結果が、特定ステップで特定された識別情報が記憶部に記憶される許可識別情報のいずれにも合致しないことを示しているとき、予め定める方向に対する表示部の表示形態を、第１の状態から第１の状態とは異なる第２の状態に換える。
【００２２】
したがって、本発明に係る表示方法を適用すれば、第三者が会議室などに入室しても表示画面に表示される情報の第三者への漏洩を防止することができる。
【発明を実施するための最良の形態】
【００２３】
図１は、本発明の実施の一形態であるセキュリティ管理装置１の構成を示すブロック図である。本発明に係る表示方法は、表示装置であるセキュリティ管理装置１で処理される。セキュリティ管理装置１は、サーバ１０、会議室２０、モニタ３０、端末４０およびネットワーク５０を含んで構成される。
【００２４】
サーバ１０は、会議室予約部１１、入退室管理部１２、社員情報記録部１３および会議監視部１４を含んで構成され、ネットワーク５０に接続される。サーバ１０は、たとえば図示しない中央処理装置（Central Processing Unit：以下「ＣＰＵ」という）、および図示しない記憶装置によって構成される一般的に用いられるコンピュータである。記憶装置は、たとえば半導体メモリおよびハードディスク装置などの記憶装置によって構成され、サーバ１０を制御するための制御プログラム、および制御するために必要な情報を記憶する。
【００２５】
サーバ１０は、記憶装置に記憶される制御プログラムをＣＰＵで実行することによって、会議室予約部１１、入退室管理部１２、社員情報記録部１３および会議監視部１４の機能を実現し、管理予約システムを管理する。管理予約システムの管理は、たとえば会議室２０の予約の管理、会議室２０への人の入退室の管理、およびモニタ３０への表示切替指示である。
【００２６】
記憶手段および記憶部である会議室予約部１１は、会議室の予約を行なうための画面を端末４０に表示し、利用者が端末４０に表示された画面で入力する会議開催年月日、会議開始時間および終了時間、ならびに会議参加者などの情報を会議室ごとに受け付け、会議室予約情報として記憶装置に記憶する。入退室管理部１２は、入退室監視部２１から受け取る情報に基づいて、各会議室に入室している人物の社員コードを、入室社員情報として記憶装置に記憶する。識別情報である社員コードは、各人物を識別するための識別情報である。
【００２７】
社員情報記録部１３は、社員の社員コードおよび社員名、ならびに生体認証を用いる場合は各社員の生体情報などの情報を、社員情報として記憶装置に記憶する。社員名は、社員の氏名である。生体情報は、各人の生体的特徴を表す情報であり、たとえば指紋、網膜あるいは顔などの情報である。
【００２８】
会議監視部１４は、入室した人物の社員コードを入退室監視部２１から受け取ると、受け取った社員コードが、会議室予約部１１によって記憶される会議室予約情報に登録されている社員コードか否かを判定する。受け取った社員コードが会議室予約情報に登録されていないと、第三者が会議室に入ったと判断し、モニタ３０に表示する情報を、入室した第三者に見えない状態にするように、表示監視部３３に指示する。
【００２９】
会議室２０は、会議室、応接室、教室、あるいは講堂など、人が集合して情報を交換するための部屋であり、パーティションで区切られた空間であってもよい。各会議室２０には、各出入り口に設けられる扉の近辺に入退室監視部２１および施錠部２２が固着され、モニタ３０が設置されている。
【００３０】
入退室監視部２１は、たとえば社員コードが磁気的に記録される社員カードなどの社員証を読み取るカードリーダ、あるいは指紋認証などの生体認証を行なう装置によって構成され、ネットワーク５０に接続される。入退室監視部２１は、入退室する人を特定するための特定情報を取得し、取得した特定情報に、入室したか退室したかを示す情報を含めて、入退室管理部１２に送る。特定情報は、たとえばカードリーダを用いる場合は、社員コードであり、生体認証を行なう場合は、生体情報であり、併用する場合は、社員コードおよび生体情報である。
【００３１】
入退室管理部１２は、入退室監視部２１から受け取った特定情報が入室した人の社員コードであれば、そのまま入室社員情報に登録し、入退室監視部２１から受け取った特定情報が退室した人の社員コードであれば、入室社員情報からその社員コードを削除する。
【００３２】
入退室監視部２１から受け取った特定情報が生体情報である場合は、生体情報に対応する社員コードを、社員情報記録部１３によって記憶される社員情報から検索する。入退室監視部２１から受け取った特定情報が入室した人の生体情報であると、検索した社員コードを入室社員情報に登録し、入退室監視部２１から受け取った特定情報が退室した人の生体情報であると、検索した社員コードを入室社員情報から削除する。入退室管理部１２および入退室監視部２１は、特定手段である。入退室管理部１２は、判定手段である。
【００３３】
施錠部２２は、会議室２０の扉に設けられる鍵の施錠および解錠を行う。入退室監視部２１は、入退室管理部１２から解錠の指示を受けると、施錠部２２に解錠を指示する。施錠部２２は、通常は施錠した状態であり、入退室監視部２１から解錠の指示をうけると、解錠して入退室を可能とし、入退室すると、施錠する。
【００３４】
モニタ３０は、たとえば表示部３１、操作部３２、図示しないＣＰＵ、ならびに半導体メモリおよびハードディスク装置などの図示しない記憶装置によって構成され、ネットワーク５０に接続される。モニタ３０は、会議室２０でテレビジョン会議を行うため、あるいは資料を表示するために用いられる。記憶装置は、オペレーティングシステム（以下「ＯＳ」という）、アプリケーションプログラム（以下単に「プログラム」という）、モニタ３０を制御するための制御プログラム、および制御するために必要な情報を記憶する。サーバ１０は、記憶装置に記憶される制御プログラムをＣＰＵで実行することによって、表示監視部３３および表示制御部３４の機能を実現する。
【００３５】
表示手段である表示部３１は、たとえばデュアルビュー機能のない通常の液晶ディスプレイ、あるいはデュアルビュー機能を備えるデュアルビュー液晶ディスプレイによって構成される。デュアルビュー機能は、表示画面を見る方向、たとえば表示画面に向かって左側から見る方向と、表示画面に向かって右側から見る方向とによって異なる情報を表示することができる機能である。操作部３２は、たとえばマウスなどのポインティングデバイス、およびキーボードなどの文字入力デバイスによって構成され、リモートコントロール（以下「リモコン」という）であってもよい。
【００３６】
表示監視部３３は、表示部３１に表示される情報が、入室した第三者に見えない状態（以下「非表示状態」という）にするように、入退室管理部１２あるいは会議監視部１４から指示を受けると、その旨を表示制御部３４に指示する。第２の状態である非表示状態は、たとえば情報の表示を行わないようにした状態、バックライトの電源をオフにして表示する情報を見えないようにした状態、または表示すべき情報を表示すべき情報と異なる情報に置換、たとえば表示すべき情報を黒色あるいは白色の画像に置換あるいは表示すべき情報の中の文字列を他の文字列に置換して表示した状態などの状態である。文字列は、１文字以上の文字からなり、文字には、英数字、漢字、かな、および記号などを含む。表示する情報がすべて見える状態は、第１の状態である。
【００３７】
このように、非表示状態は、表示画面に表示される情報が見えない状態であるので、表示画面に表示される情報が第三者に知られることを防止することができる。
【００３８】
このように、非表示状態は、判定結果の前に表示していた情報に代えて判定結果の前に表示していた情報と異なる情報を表示する状態であるので、機密性の高い情報たとえば機密性の高い文字列だけを秘匿することができる。
【００３９】
表示制御部３４は、入退室管理部１２あるいは表示監視部３３から非表示状態にするように指示されると、表示部３１の表示画面のうち、予め定める領域に表示する情報を、非表示状態にする。表示部３１が、デュアルビュー液晶ディスプレイの場合は、予め定める方向、たとえば第三者が入室してきた方向から見える情報のみを、非表示状態にする。入退室管理部１２、表示監視部３３および表示制御部３４は、制御手段である。操作部３２および表示制御部３４は、指定手段である。
【００４０】
端末４０は、たとえばパーソナルコンピュータなどによって構成され、ネットワーク５０に接続される。端末４０は、サーバ１０から受信するたとえば操作画面などの情報を表示し、操作画面に応答して入力される情報をサーバ１０に送信する。利用者は、端末４０を操作することによって、会議のスケジュールおよび参加予定者を、サーバ１０が管理する会議室予約システムに登録することができる。ネットワーク５０は、ネットワーク５０に接続される装置間での情報の送受信を可能にする通信回線であり、たとえばイントラネットあるいはインターネットによって構成される。
【００４１】
図２は、社員情報記録部１３によって記憶される社員情報６１の構成の一例を示す図である。社員情報６１は、たとえば「社員コード」および「社員名」の項目を含み、社員コードごとに社員名などの項目が対応付けられている。社員情報６１は、たとえば社員が入社したときに登録される。図２に示した社員情報６１には、社員コード「０００１」が社員名「早川太郎」であり、社員コード「０００２」が社員名「佐藤二郎」であり、社員コード「０００３」が社員名「鈴木三郎」であることが示されている。
【００４２】
図３は、会議室予約部１１によって記憶される会議室予約情報６２の構成の一例を示す図である。会議室予約情報６２は、たとえば「年月日」、「時間」および「参加者リスト」の項目を含み、会議室ごとに、これらの項目が対応付けられている。「年月日」は、会議が開催される予定の年月日であり、「時間」は、会議が開催される予定の開始時間および終了時間であり、許可識別情報である「参加者リスト」は、会議に参加する予定の社員の社員コードの一覧である。
【００４３】
このように、会議室予約部１１に記憶される参加者リストは、会議に出席する予定の出席予定者の社員コードであるので、会議に参加予定者として登録されたもの以外の人に対する情報の漏洩を防止することができる。
【００４４】
さらに、会議室予約部１１に記憶される参加者リストは、各会議室２０を使用する予定の時間帯ごとに記憶されるので、同じ会議室２０でも、開催される会議によって、秘密にすべき情報を見ることができる人を変えることができる。
【００４５】
図３に示した会議室予約情報６２には、「会議室１」について、年月日「２００７．０４．０１」の年月日の時間「０９：００−１０：００」の時間帯に、参加者リスト「００１０，００１１」の社員が参加する会議、および年月日「２００７．０４．０１」の年月日の時間「１０：００−１４：００」の時間帯に、参加者リスト「０００１，０００２，０００３」の社員が参加する会議が登録されている。
【００４６】
図４は、入退室管理部１２によって記憶される入室社員情報６３の構成の一例を示す図である。入室社員情報６３は、たとえば入室者社員コードの項目を含み、会議室ごとに記憶される。入室者社員コードは、会議室に現在入室している社員の社員コードであり、入室したときに入室社員情報６３に登録され、退室したときに入室社員情報６３から削除される。図４に示した入室社員情報６３には、「会議室１」について、入室者社員コード「０００２」および「０００３」が示されている。
【００４７】
図５は、表示制御部３４によって記憶される表示制御設定情報６４の構成の例を示す図である。表示制御設定情報６４は、表示部３１に表示する情報を非表示状態にすることを制御するための情報である。表示制御部３４は、表示制御設定情報６４を設定するための画面を表示部３１に表示し、利用者が表示部３１に表示される画面に応答して、操作部３２によって情報を入力すると、入力された情報を表示制御部３４に、表示制御設定情報６４として記憶する。
【００４８】
表示制御設定情報６４は、少なくとも「対象領域」、「指定方法」、「指定領域」、「指定プログラム」、「表示制限方法」、「変換法則」および「制限方向」の７つの項目を含む。「対象領域」は、表示画面のうち、全画面を非表示状態にするか、あるいは指定された領域を非表示状態にするかを指定する項目であり、「全画面」または「指定」が指定される。「全画面」は、全画面を非表示状態にすることを示し、「指定」は、「指定領域」に指定される領域の画面を非表示状態にすることを示す。以下、「指定領域」に指定された領域のことを、「表示制御領域」という。
【００４９】
「指定方法」は、表示画面内の領域を、座標位置で指定するか、あるいはプログラムで指定するかを指定する項目であり、対象領域が「指定」の場合にのみ、「領域」または「プログラム」が指定される。「領域」は、座標位置で指定することを示し、「プログラム」は、プログラムで指定することを示す。「指定領域」は、非表示状態にする領域を指定する項目であり、指定方法が「領域」である場合にのみ指定される。非表示状態にする領域は、表示画面に向かって最も左上の位置を原点とするＸＹ座標系における座標位置で示される。具体的には、非表示状態にする領域を矩形の領域とする場合、矩形の対角にある頂点の座標位置、たとえば矩形の左上の頂点および右下の頂点の座標位置によって指定する。
【００５０】
「指定プログラム」は、非表示状態にする領域を特定するプログラム、具体的には、プログラムの実行ファイル名を指定する項目であり、指定方法が「プログラム」である場合にのみ指定される。「表示制限方法」は、非表示状態にする方法を指定する項目であり、「非表示」、「変換」または「方向」が指定される。「非表示」は、情報の表示を行わないようにした状態あるいはバックライトの電源をオフにして表示する情報を見えないようにした状態にすることを示し、「変換」は、表示すべき情報を表示すべき情報と異なる情報に変換して表示することを示し、「方向」は、方向によって情報を見えなくすることを示す。
【００５１】
「変換法則」は、情報を変換する法則を指定する項目であり、表示制限方法が「変換」である場合にのみ指定される。情報を変換する法則は、たとえば変換前の文字列と変換後の文字列とを指定する。予め定める方向である「制限方向」は、画面に表示される情報を非表示状態とする方向を指定する項目であり、表示制限方法が「方向」の場合にのみ、「左」または「右」が指定される。「左」は、表示画面に向かって左側から見える情報を非表示状態にすることを示し、「右」は、表示画面に向かって右側から見える情報を非表示状態にすることを示す。
【００５２】
図５（ａ）は、対象領域が「全画面」と指定されたときの表示制御設定情報６４ａの一例であり、全画面を非表示状態にする場合の表示制御設定情報６４である。図５（ａ）には、対象領域が「全画面」、および表示制限方法が「非表示」と指定されている。指定方法、指定領域、指定プログラム、変換法則および制限方向は、いずれも「−」が表示され、何の情報も指定されていないことを示す。
【００５３】
図５（ｂ）は、対象領域が「指定」と指定され、かつ指定方法が「領域」と指定されたときの表示制御設定情報６４ｂの一例であり、非表示状態にする表示画面の領域を座標位置で指定する場合の表示制御設定情報６４である。図５（ｂ）には、対象領域が「指定」、指定方法が「領域」、指定領域が「（５００，１０）−（１０００，７００）」、表示制限方法が「変換」、および変換法則が「広島事業所−＞Ｈ事業所」と指定されている。指定プログラムおよび制限方向は、いずれも「−」が表示され、何の情報も指定されていないことを示す。
【００５４】
図５（ｃ）は、対象領域が「指定」と指定され、かつ指定方法が「プログラム」と指定されたときの表示制御設定情報６４ｃの一例であり、非表示状態にする表示画面の領域をプログラムで指定する場合の表示制御設定情報６４である。図５（ｃ）には、対象領域が「指定」、指定方法が「プログラム」、指定プログラムが「ｘｘｘ.ｅｘｅ，ＹＹＹ.ＥＸＥ」、表示制限方法が「方向」、および制限方向が「左」と指定されている。指定領域および変換法則は、いずれも「−」が表示され、何の情報も指定されていないことを示す。
【００５５】
図６は、表示監視部３３によって記憶される表示制御情報６５の構成の一例を示す図である。表示制御情報６５は、「制限決定領域」の項目を含み、表示監視部３３によってモニタ３０の記憶装置に記憶される。予め定める領域である制限決定領域は、表示部３０の表示画面の領域のうち、非表示状態にする領域であり、表示部３３の表示画面を非表示状態とするとき、表示制御部３４によって参照される。
【００５６】
表示監視部３３は、表示制御部３４によって記憶される表示制御設定情報６４の対象領域が「指定」で、かつ指定方法が「領域」の場合は、「指定領域」に指定される領域を表示制御情報６５の制限決定領域に登録する。表示制御設定情報６４の対象領域が「指定」で、かつ指定方法が「プログラム」の場合は、「指定プログラム」に指定されるプログラムが実行されていると、表示画面の領域のうち、そのプログラムによって情報が表示されるウインドウの表示領域を取得し、取得した表示領域を表示制御情報６５の制限決定領域に登録する。
【００５７】
コンピュータで一般的に用いられているＯＳは、ＯＳ下で実行するプログラムのグラフィカルユーザインタフェース（以下「ＧＵＩ」という）としての表示領域をウインドウ単位で管理している。換言すると、ＯＳが各プログラムのウインドウの表示領域を管理しているので、実行されているプログラムのウインドウの表示領域は、ＯＳから取得することができる。
【００５８】
モニタ３０は、モニタ３０を制御するための制御プログラム、および利用者が会議のための情報を表示するプログラムを、記憶装置に記憶されるＯＳ下で稼動させている場合、制御プログラムが実行されることによって実現される表示制御部３４は、「指定プログラム」に指定されるプログラムが実行されていると、その実行されているプログラムのウインドウの表示領域を、ＯＳから取得することができる。図６に示した表示制御設定情報６５には、制限決定領域として、領域「（２００，０）−（４００，２００）」および「（０，０）−（１００，１００）」が登録されている。
【００５９】
図７は、会議室予約部１１によって表示される会議室予約状況確認画面７１の一例を示す図である。会議室予約状況確認画面７１は、会議室の予約状況を確認し、会議室の予約を行うための画面であり、会議室予約部１１によって端末４０に表示される。会議室予約状況確認画面７１には、「予約状況」というタイトルが表示され、日付入力欄７１０、予約確認ボタン７１１、日付表示欄７１２、予約状況欄７１３および閉じるボタン７１４が設けられる。
【００６０】
日付入力欄７１０は、会議室の予約確認あるいは予約する年月日を入力するための入力欄であり、「日付」と付記されている。予約確認ボタン７１１は、日付入力欄７１０に入力した年月日の予約状況を表示させるための操作ボタンである。操作ボタンの操作は、たとえば表示画面に表示されるポインタをマウスによって操作ボタンの位置に移動し、マウスを左クリックすることによって操作することができる。操作ボタンの操作は、以下に示す他の操作ボタンについても同様である。
【００６１】
日付表示欄７１２は、予約状況欄７１３に表示される予約状況の年月日を示し、矢印の範囲が予約済みであることを示すコメント「予約済＜−＞」が示されている。会議室予約状況確認画面７１を開いた直後は、日付表示欄７１２には、会議室予約状況確認画面７１を開いた年月日が表示される。
【００６２】
予約状況欄７１３は、日付表示欄７１２に示される年月日の施設名ごとの予約状況を示す表示欄であり、施設名ごとに予約ボタン７１５が設けられる。施設名は、会議室を識別するための識別情報であり、たとえば会議室の名称である。いずれかの予約ボタン７１５を操作すると、操作された予約ボタン７１５に対応付けられている施設名の会議室を予約するための会議室予約入力画面７２を表示することができる。閉じるボタン７１４は、会議室予約状況確認画面７１を閉じるための操作ボタンである。
【００６３】
図７に示した会議室予約状況確認画面７１には、日付入力欄７１０に「２０１０」年「４」月「１」日と入力され、日付表示欄７１２に「２０１０年４月１日」と示されている。予約状況欄７１３には、時刻「９：００」から時刻「１７：００」までの時刻が１時間ごとに示され、会議室１については、時刻「９：００」から時刻「１０：００」までの１時間予約され、会議室２については、時刻「１０：００」から時刻「１１：００」までの１時間予約され、会議室３については、時刻「９：００」から時刻「１５：００」までの６時間予約されている。
【００６４】
図８は、会議室予約部１１によって表示される会議室予約入力画面７２の一例を示す図である。会議室予約入力画面７２は、会議室の予約を行うための画面であり、会議室予約部１１によって端末４０に表示される。会議室予約入力画面７２には、施設名表示欄７２０、日付表示欄７２１、時間帯入力欄７２２、参加者リスト表示欄７２３、参加追加社員コード入力欄７２４、追加ボタン７２５、会議室予約登録ボタン７２６および閉じるボタン７２７が設けられる。
【００６５】
施設名表示欄７２０は、予約を行う施設名を表示する表示欄であり、「施設名」と付記され、会議室予約状況確認画面７１で操作された予約ボタン７１５に対応する施設名と同じ施設名が表示される。日付表示欄７２１は、会議室の予約を行う年月日を示す表示欄であり、「日付」と付記され、会議室予約状況確認画面７１の日付表示欄７１２に表示されていた年月日と同じ年月日が表示される。時間帯入力欄７２２は、会議を行う予定の時間帯を入力するための入力欄であり、「時間」と付記され、開始時間および終了時間を入力する。
【００６６】
参加者リスト表示欄７２３は、会議に参加する予定の社員の社員コードおよび社員名の一覧を表示する表示欄であり、「参加者リスト」と付記され、社員コードと社員名とが対応付けられて表示される。参加者の数が参加者リスト表示欄７２３に表示することができる数よりも多い場合は、参加者リスト表示欄７２３にあるスクロールボタン７２８を操作することによって、見えていない社員コードおよび社員名を表示することができる。
【００６７】
参加追加社員コード入力欄７２４は、施設名表示欄７２０に示される会議室で、日付表示欄７２１に示される年月日および時間帯表示欄７２２に示される時間帯に開催される予定の会議に参加する予定の社員の社員コードを入力するための入力欄であり、「参加追加社員コード」と付記されている。
【００６８】
追加ボタン７２５は、参加追加社員コード入力欄７２４に入力された社員コードを参加者リスト表示欄７２３に追加するための操作ボタンである。会議室予約部１１は、追加ボタン７２５が操作されると、参加追加社員コード入力欄７２４に入力された社員コードに対応付けられた社員名を、社員情報記録部１３よって記憶される社員情報６１が示す社員名の中から検索し、検索した社員名を、参加追加社員コード入力欄７２４に入力された社員コードに対応付けて、参加者リスト表示欄７２３に追加して表示する。
【００６９】
会議室予約登録ボタン７２６は、会議室予約入力画面７２で表示した情報および入力された情報を、会議室予約情報６２に登録するための操作ボタンである。会議室予約登録ボタン７２６が操作されると、会議室予約部１１は、会議室予約入力画面７２で表示した情報および入力された情報、具体的には、施設名表示欄７２０に表示した施設名、日付表示欄７２１に表示した年月日、時間帯入力欄７２２に入力された開始時間および終了時間、ならびに参加者リスト表示欄７２３に表示した社員コードを、会議室予約部１１に送り、会議室予約部１１によって会議室予約情報６２に登録する。閉じるボタン７２７は、会議室予約入力画面７２を閉じるための操作ボタンである。
【００７０】
図８に示した会議室予約入力画面７２には、施設名表示欄７２０に「会議室１」、日付表示欄７２１に「２０１０年４月１日」、時間帯表示欄７２２に「１０」時「００」分〜「１２」時「００」分と示されている。参加者リスト表示欄７２３には、社員コード「０００１」に対応して社員名「佐藤一郎」が示され、社員コード「０００２」に対応して社員名「鈴木二郎」が示され、参加追加社員コード入力欄７２４には、参加追加社員コード「０００３」が入力されている。
【００７１】
図９は、会議室予約部１１によって表示される会議室予約登録完了画面７３の一例を示す図である。会議室予約登録完了画面７３は、会議室予約入力画面７２で表示した情報および入力された情報を、会議室予約情報６２に登録したことを示す画面であり、会議室予約部１１によって端末４０に表示される。会議室予約登録完了画面７３には、コメント欄７３１およびＯｋボタン７３２が設けられる。
【００７２】
コメント欄７３１には、「予約を受け付けました。」というコメントが表示され、会議室予約入力画面７２で入力された情報を会議室予約情報６２に登録したことを示す。会議室予約部１１は、会議室予約入力画面７２で会議室予約登録ボタン７２６が操作されたとき、会議室予約入力画面７２で表示した情報および入力された情報が示す会議の予定が、既に会議室予約情報６２に登録されている会議の予約と重複しない場合に、会議室予約入力画面７２で表示した情報および入力された情報を、会議室予約部１１によって会議室予約情報６２に登録し、会議室予約登録完了画面７３を表示する。
【００７３】
Ｏｋボタン７３２は、利用者がコメント欄７３１に表示されたコメントを確認したことを示すための操作ボタンであり、Ｏｋボタン７３２が操作されると、会議室予約情報６２に登録された情報を反映した会議室予約状況確認画面７１を表示する。
【００７４】
図１０は、会議室予約部１１によって表示される会議室予約未登録確認画面７４の一例を示す図である。会議室予約未登録確認画面７４は、会議室予約入力画面７２で表示した情報および入力された情報を会議室予約情報６２に登録しなかったことを示す画面であり、会議室予約部１１によって端末４０に表示される。会議室予約未登録確認画面７４には、コメント欄７４１およびＯｋボタン７４２が設けられる。
【００７５】
コメント欄７４１には、「その時間帯は、既に予約済みです。再度時間を確認の上入力して下さい。」というコメントが表示され、会議室予約入力画面７２で表示した情報および入力された情報を、会議室予約情報６２に登録しなかったことを示す。会議室予約部１１は、会議室予約入力画面７２で会議室予約登録ボタン７２６が操作されたとき、会議室予約入力画面７２で表示した情報および入力された情報が示す会議の予定が、既に会議室予約情報６２に登録されている会議の予約と重複している場合に、会議室予約入力画面７２で表示した情報および入力された情報を会議室予約情報６２に登録することなく、会議室予約未登録確認画面７４を表示する。
【００７６】
Ｏｋボタン７４２は、利用者がコメント欄７４１に表示されたコメントを確認したことを示すための操作ボタンであり、Ｏｋボタン７４２が操作されると、会議室予約入力画面７２に戻る。
【００７７】
図１１は、表示制御部３４によって表示されるモニタ表示制御設定画面７５の一例を示す図である。モニタ表示制御設定画面７５は、表示制御設定情報６４を設定するための画面であり、表示制御部３４によって表示部３１に表示される。モニタ表示制御設定画面７５には、「表示制限領域」というタイトルが表示され、３つの選択欄７５１〜７５３、および閉じるボタン７５６が設けられる。
【００７８】
３つの選択欄は、「全画面を非表示にする」を選択するための全画面選択欄７５１、「表示制限を領域で指定する」を選択するための領域選択欄７５２、および「表示制限をプログラムで指定する」を選択するためのプログラム選択欄７５３であり、各選択欄に設けられている白い丸印の部分の１つを、マウスなどで選択することによって、いずれか１つの選択欄を選択することができる。図１１に示したモニタ表示制御設定画面７５では、全画面選択欄７５１が選択され、全画面選択欄７５１の白い丸印が黒い丸印になっている。
【００７９】
全画面選択欄７５１は、表示部３１の表示画面全体を非表示状態にするための選択欄であり、全画面選択欄７５１が選択されると、表示制御部３４は、図５（ａ）に示した表示制御設定情報６４ａと同じ表示制御設定情報６４を生成し、表示制御部３４に記憶する。
【００８０】
領域選択欄７５２は、表示部３１の表示画面のうち、表示制限領域つまり非表示状態にする領域を、画面のＸＹ座標で指定することを選択するための選択欄であり、領域選択欄７５２には、設定１ボタン７５４が設けられている。領域選択欄７５２を選択し、設定１ボタン７５４を操作すると、非表示状態にする領域をＸＹ座標で指定するための領域指定設定画面７６が表示される。
【００８１】
プログラム選択欄７５３は、表示部３１の表示画面のうち、表示制限領域つまり非表示状態にする領域を、プログラムによって指定することを選択するための選択欄であり、プログラム選択欄７５３には、設定２ボタン７５５が設けられている。プログラム選択欄７５３を選択し、設定２ボタン７５５を操作すると、非表示状態にする領域をプログラムで指定するためのプログラム指定画面７７が表示される。閉じるボタン７５６は、モニタ表示制御設定画面７５を閉じるための操作ボタンである。
【００８２】
図１２は、表示制御部３４によって表示される領域指定設定画面７６の一例を示す図である。領域指定設定画面７６は、表示部３１の表示画面のうち、非表示状態にする領域を画面のＸＹ座標で指定するための画面であり、表示制御部３４によって表示部３１に表示される。領域指定設定画面７６には、「領域指定」というタイトルが表示され、領域指定欄７６１、表示制御方法設定ボタン７６３および閉じるボタン７６４が設けられている。
【００８３】
領域指定欄７６１は、表示部３１の表示画面を表す画像であり、その画像の中で、非表示状態にする領域の矩形の対角の頂点の位置を、マウスなどによって指定することによって、非表示領域７６２を指定することができる。表示制御方法設定ボタン７６３は、表示制御方法設定画面７８を表示するための操作ボタンである。閉じるボタン７６４は、領域指定設定画面７６を閉じるための操作ボタンである。
【００８４】
図１３は、表示制御部３４によって表示されるプログラム指定画面７７の一例を示す図である。プログラム指定画面７７は、表示部３１の表示画面のうち、非表示状態にする領域を、プログラムによって指定することを選択するための画面であり、表示制御部３４によって表示部３１に表示される。プログラム指定画面７７には、「表示制限プログラム登録」というタイトルが表示され、プログラムリスト表示欄７７１、新規登録プログラム入力欄７７３、表示制御方法設定ボタン７７５および閉じるボタン７７６が設けられている。
【００８５】
プログラムリスト表示欄７７１は、登録されたプログラムの実行ファイル名の一覧を表示する表示欄であり、「プログラムリスト」と付記されている。表示された実行ファイル名の一覧の中から１つを選択し、プログラムリスト表示欄７７１に設けられた削除ボタン７７２を操作することによって、選択されたプログラムを一覧から削除することができる。
【００８６】
新規登録プログラム入力欄７７３は、利用者が会議のための情報を表示するために用いるプログラムの実行ファイル名を入力するための入力欄であり、「新規登録プログラム」と付記されている。新規登録プログラム入力欄７７３に実行ファイル名を入力し、新規登録プログラム入力欄７７３に設けられた追加ボタン７７４を操作することによって、入力された実行ファイル名をプログラムリスト表示欄７７１の一覧に追加することができる。
【００８７】
表示制御方法設定ボタン７７５は、表示制御方法設定画面７８を表示するための操作ボタンである。閉じるボタン７７６は、プログラム指定画面７７を閉じるための操作ボタンである。図１３に示したプログラム指定画面７７には、プログラムリスト表示欄７７１に「ｎｎｎ．ｅｘｅ」，「ＺＺＺ．ＥＸＥ」，「ＹＹＹ．ＥＸＥ」の３つのプログラムが登録され、新規登録プログラム入力欄７７３に「ｘｘｘ．ｅｘｅ」が入力されていることが示されている。
【００８８】
図１４は、表示制御部３４によって表示される表示制御方法設定画面７８の一例を示す図である。表示制御方法設定画面７８は、表示制限方法、変換法則および制限方向を設定するための画面であり、表示制御部３４によって表示部３１に表示される。表示制御方法設定画面７８には、「表示制限方法」というタイトルが表示され、非表示選択欄７８１、変換して表示選択欄７８２、方向制限選択欄７８３および閉じるボタン７８９が設けられている。
【００８９】
非表示選択欄７８１は、表示制限方法として「非表示」を選択するための選択欄であり「非表示」と付記されている。変換して表示選択欄７８２は、表示制限方法として「変換」を選択するための選択欄であり、方向制限選択欄７８３は表示制限方法として「方向」を選択するための選択欄である。各選択欄に設けられている白い丸印の部分の１つを、マウスなどで選択することによって、いずれか１つの選択欄を選択することができる。図１４に示した表示制御方法設定画面７８では、方向制限選択欄７８３が選択され、方向制限選択欄７８３の白い丸印が黒い丸印になっている。
【００９０】
変換して表示選択欄７８２には、「変換して表示」と付記され、変換法則リスト表示欄７８４、削除ボタン７８５、新規変換法則入力欄７８６および追加ボタン７８７が設けられる。変換法則リスト表示欄７８４は、「変換法則リスト」と付記され、変換前の文字列および変換後の文字列を示す一覧を表示する表示欄である。削除ボタン７８５は、変換法則リスト表示欄７８４に表示された一覧の中の１つを削除するための操作ボタンである。
【００９１】
新規変換法則入力欄７８６は、「新規変換法則」と付記され、変換前の文字列を入力するための「変換前」と付記された入力欄、および変換後の文字列を入力するための「変換後」と付記された入力欄が設けられる。追加ボタン７８７は、新規変換法則入力欄７８６に入力された変換前および変換後の文字列を変換法則リスト表示欄７８４の一覧に追加するための操作ボタンである。
【００９２】
方向制限選択欄７８３は、「方向制限」と付記され、左右選択欄７８８が設けられる。左右選択欄７８８には、２つの白い丸印が設けられ、１つの白い丸印に「左」と付記され、他の白い丸印に「右」と付記されている。これらの２つの白い丸印の部分の１つを、マウスなどで選択することによって、いずれか１つを選択することができる。図１４に示した左右選択欄７８８では、「左」が選択され、「左」に付記される白い丸印が黒い丸印になっている。閉じるボタン７８９は、表示制御方法設定画面７８を閉じるための操作ボタンである。
【００９３】
図１４に示した表示制御方法設定画面７８の変換法則リスト表示欄７８４には、変換法則リストとして、「広島事業所−＞Ｈ事業所」および「高橋専務−＞Ｔ専務」と表示され、新規変換法則入力欄７８６には、変換前の文字列として「ＳＷＸＹＺ」、変換後の文字列として「Ｓ社」と入力されている。
【００９４】
このように、操作部３２および表示制御部３４によって、表示部３１の表示画面のうち、表示する情報がすべて見える状態から非表示状態に換える領域が指定され、入退室管理部１２、表示監視部３３および表示制御部３４によって、操作部３２および表示制御部３４によって領域が指定されたとき、表示部３１の表示画面のうち、操作部３２および表示制御部３４によって指定された領域のみが、表示する情報がすべて見える状態から非表示状態に換えされるので、表示画面の領域のうち、秘密にすべき情報が表示される領域のみを選択的に秘匿することができる。
【００９５】
図１５は、第三者が入室するときに非表示とすることを説明するための図である。入退室監視部２１は、第三者２４、つまり会議の参加予定者として会議室予約情報に登録されていない人を判別すると、つまりその人を特定する特定情報を取得すると、取得した特定情報を入退室管理部１２に送る。
【００９６】
入退室管理部１２は、入退室監視部２１から受け取った特定情報、たとえば社員コードが、社員情報６１に登録されているが、会議室予約情報６２に登録されていない場合は、表示部３１を非表示状態にしてから解錠するように表示監視部３３に指示する。表示監視部３３は、表示部３１を非表示状態にしてから解錠する旨の指示を受けると、非表示状態にする旨を表示制御部３４に指示し、表示部３１を非表示状態にした後、施錠部２２に解錠を指示し、扉２３を解錠する。第三者２４は、扉２３から会議室２０に入室しても、表示部３１が非表示状態となっているので、表示部３１に表示されていた情報を見ることはできない。
【００９７】
図１６は、第三者が入室するときに視野角を変更することを説明するための図である。視野角を変更するとは、表示部３１がデュアルビュー液晶ディスプレイの場合に、表示制御設定情報６４の「制限方向」に設定されている方向からは、表示画面に表示される情報を見ることができない状態にすることである。
【００９８】
図１６（ａ）は、第三者が右側にある扉２３から入室するときに視野角を変更することを説明するための図である。入退室監視部２１は、第三者２４、つまり会議の参加予定者として会議室予約情報に登録されていない人を判別すると、つまりその人を特定する特定情報を取得すると、取得した特定情報を入退室管理部１２に送る。入退室管理部１２は、入退室監視部２１から受け取った特定情報、たとえば社員コードが、社員情報６１に登録されているが、会議室予約情報６２に登録されていない人であると、表示部３１に表示される情報を「制限方向」に設定されている方向、たとえば右側の方向から非表示状態にしてから解錠するように表示監視部３３に指示する。
【００９９】
表示監視部３３は、表示部３１に表示される情報を右側の方向から非表示状態にしてから解錠する旨の指示を受けると、表示部３１に表示される情報を右側の方向から非表示状態にする旨を表示制御部３４に指示し、表示部３１に表示される情報を右側の方向から非表示状態にした後、施錠部２２に解錠を指示し、扉２３を解錠する。第三者２４は、扉２３から会議室２０に入室しても、表示部３１が右側の方向から見えない状態となっているので、第三者の視線２５の方向から表示部３１に表示されている情報を見ることはできない。
【０１００】
図１６（ｂ）は、いずれの方向からも表示画面に表示される情報を見ることができる状態であり、会議参加者２６は、表示部３１の画素３９に表示される画像をいずれの方向からも見ることができる。図１６（ｃ）は、表示画面に向かって右側の方向からは表示画面に表示される情報を見ることができない状態である。表示画面に対して正面にいる会議参加者２６は、会議参加者の視線２７の方向から表示部３１の画素３９に表示される画像を見ることができる。しかし、第三者２４は、第三者の視線２５の方向、つまり表示画面に向かって右側の方向からは、視差バリア３８によって、表示部３１の画素３９のうち会議参加者の視線２７から見える画素３９に表示される画像を見ることはできない。
【０１０１】
このように、前記予め定める方向は、会議室予約部１１に記憶される参加者リストに合致しない社員コードの人が入室した場所からの方向であるので、表示画面に表示される情報を、会議室に入ってきた第三者からのみ見えないようにし、会議参加者は、引き続いて見えるようにすることができる。
【０１０２】
図１７は、利用者および会議室予約部１１によって実行される会議室管理処理の処理手順を示すフローチャートである。セキュリティ管理装置１の電源が投入され動作可能状態になると、ステップＡ１に移る。
【０１０３】
ステップＡ１では、利用者は、会議室を予約したいか否かを判断する。会議室を予約したい場合は、ステップＡ２に進み、会議室を予約したくない場合は、会議室管理処理を終了する。ステップＡ２では、会議室予約状況確認画面７１を表示する。具体的には、利用者が、たとえばサーバ１０によって端末４０に表示されるメインメニューの中から、会議室の予約のメニューを選択すると、会議室予約部１１は、会議室予約状況確認画面７１を端末４０に表示する。
【０１０４】
ステップＡ３では、利用者は、予約確認をするか否かを判断する。予約確認をする場合は、ステップＡ７に進み、予約確認をしない場合は、ステップＡ４に進む。ステップＡ４では、利用者は、会議室を予約するか否かを判断する。会議室を予約する場合は、会議室予約状況確認画面７１の予約ボタン７１５のうち、予約したい会議室に対応付けられているを予約ボタン７１５を押して、ステップＡ８に進み、会議室を予約しない場合は、ステップＡ５に進む。ステップＡ５では、利用者は、会議室予約を終了するか否かを判断する。会議室予約を終了する場合は、ステップＡ６に進み、会議室予約を終了しない場合は、ステップＡ２に戻る。
【０１０５】
ステップＡ７では、予約確認処理を実行した後、ステップＡ２に戻る。ステップＡ８では、会議室予約処理を実行した後、ステップＡ２に戻る。ステップＡ６では、利用者は、閉じるボタン７１４を押す。閉じるボタン７１４が押されると、会議室予約部１１は、端末４０に表示した会議室予約状況確認画面７１を閉じて、会議室管理処理を終了する。
【０１０６】
図１８は、会議室管理処理に含まれる予約確認処理の処理手順を示すフローチャートである。図１７に示したフローチャートのステップＡ７の処理で、ステップＢ１に移る。
【０１０７】
ステップＢ１では、利用者は、会議室予約状況確認画面７１の日付入力欄７１０に、予約確認したい年月日を入力し、予約確認ボタン７１１を押す。ステップＢ１では、会議室予約部１１は、予約確認ボタン７１１が押されたか否かを判定する。予約確認ボタン７１１が押されると、ステップＢ３に進み、予約確認ボタン７１１が押されないと、ステップＢ２に戻り、予約確認ボタン７１１が押されるのを待つ。ステップＢ３では、会議室予約部１１は、日付入力欄７１０に入力された年月日の予約状況を会議室予約情報６２から取得し、取得した予約状況を予約状況欄７１３に反映した会議室予約状況確認画面７１を表示し、予約確認処理を終了する。
【０１０８】
図１９は、会議室管理処理に含まれる会議室予約処理の処理手順を示すフローチャートである。図１７に示したフローチャートのステップＡ８の処理で、ステップＣ１に移る。
【０１０９】
ステップＣ１では、会議室予約部１１は、日付表示欄７１２に表示されていた年月日について、押された予約ボタン７１５に対応付けられた会議室の会議室予約入力画面７２を表示する。ステップＣ２では、利用者は、会議室を予約したいか否かを判断する。会議室を予約したい場合は、ステップＣ３に進み、会議室を予約したくない場合は、ステップＣ７に進む。
【０１１０】
ステップＣ３では、利用者は、時間帯入力欄７２２に予約したい時間を入力する。ステップＣ４では、利用者は、会議に参加する予定のすべての人を入力したか否かを判断する。会議に参加する予定のすべての人を入力した場合は、ステップＣ８に進み、会議に参加する予定のすべての人を入力していない場合は、ステップＣ５に進む。ステップＣ５では、利用者は、会議室予約入力画面７２の参加追加社員コード入力欄７２４に、会議に参加する予定の社員の社員コードを入力する。
【０１１１】
ステップＣ６では、利用者は、会議室予約入力画面７２の追加ボタン７２５を押す。追加ボタン７２５が押されると、会議室予約部１１は、参加追加社員コード入力欄７２４に入力された参加追加社員コードを、参加者リスト表示欄７２３の参加者リストに追加する。そして、追加した参加追加社員コードに対応する人物名つまり社員名も、社員情報記録部１３によって記憶される社員情報６１から検索し、検索した社員名を参加者リストに追加して表示し、ステップＣ４に戻る。
【０１１２】
ステップＣ７では、利用者は、閉じるボタン７２７を押す。閉じるボタン７２７が押されると、会議室予約部１１は、端末４０に表示した会議室予約入力画面７２を閉じて、会議室予約処理を終了する。ステップＣ８では、利用者は、会議室予約入力画面７２の会議室予約登録ボタン７２６を押す。
【０１１３】
ステップＣ９では、会議室予約部１１は、既存の会議室予約と重複しているかを判定する。会議室予約入力画面７２の施設名表示欄７２０に表示される会議室で日付表示欄７２１が示す年月日および時間帯入力欄７２２に入力された時間帯が、会議室予約情報６２が示す予約と重複していると、既存の会議室予約と重複していると判定し、ステップＣ１２に進み、会議室予約入力画面７２の施設名表示欄７２０に表示される会議室で日付表示欄７２１が示す年月日および時間帯入力欄７２２に入力された時間帯が、会議室予約情報６２が示す予約と重複していないと、既存の会議室予約と重複していないと判定し、ステップＣ１０に進む。
【０１１４】
ステップＣ１０では、会議室予約部１１は、会議室予約情報６２に、入力された情報を登録する。具体的には、会議室予約部１１は、会議室予約情報６２に、会議室予約入力画面７２の施設名表示欄７２０に表示される会議室で日付表示欄７２１が示す年月日について、時間帯入力欄７２２に入力された時間帯を登録する。
【０１１５】
ステップＣ１１では、会議室予約部１１は、会議室予約登録完了画面７３を端末４０に表示し、会議室予約登録完了画面７３のＯｋボタン７３２が押されると、会議室予約登録完了画面７３を閉じて、会議室予約処理を終了する。ステップＣ１２では、会議室予約部１１は、会議室予約未登録確認画面７４を表示し、会議室予約未登録確認画面７４のＯｋボタン７４２が押されると、会議室予約未登録確認画面７４を閉じて、ステップＣ１に戻る。
【０１１６】
図２０は、利用者、入退室管理部１２および入退室監視部２１によって実行される会議室入退室処理の処理手順を示すフローチャートである。セキュリティ管理装置１の電源が投入され動作可能状態になると、ステップＤ１に移る。
【０１１７】
ステップＤ１では、利用者は、会議室に入室したいか否かを判断する。会議室に入室したい場合は、ステップＤ２に進み、会議室に入室したくない場合は、会議室入退室処理を終了する。ステップＤ２では、利用者は、入室したい会議室の入退室監視部２１たとえばカードリーダに、社員証を読み込ませる。
【０１１８】
ステップＤ３では、入退室監視部２１は、社員証に記録される社員コードを読み取り、読み取った社員コードをネットワーク５０を介して入退室管理部１２に送信する。生体認証を用いる場合は、入退室監視部２１は、生体情報を取得し、取得した生体情報を入退室管理部１２に送信する。ステップＤ４では、入退室管理部１２は、受信した社員コードあるいは生体情報を、社員情報記録部１３によって記憶される社員情報６１と照合する。ステップＤ２〜ステップＤ４は、特定ステップである。
【０１１９】
ステップＤ５では、入退室管理部１２は、受信した社員コードあるいは生体情報が社員情報６１に登録されているか否かを判定する。受信した社員コードあるいは生体情報が社員情報６１に登録されていると、ステップＤ６に進み、受信した社員コードあるいは生体情報が社員情報６１に登録されていないと、会議室入退室処理を終了する。ステップＤ６では、入退室管理部１２は、受信した社員コードを会議室予約部１１によって記憶される会議室予約情報６２と照合する。
【０１２０】
ステップＤ７では、退室管理部１２は、受信した社員コードが現在時刻の会議室予約情報６２に登録されているか否かを判定する。生体認証の場合は、受信した社員コードの代わりに、社員情報６１の社員コードのうち、受信した生体情報に対応付けられる社員コードを用いて判定する。受信した社員コードが、その社員コードを送信した入退室監視部２１が設置されている会議室について、社員コードを受信した年月日および時分の会議の参加予定者として登録されていると、受信した社員コードが現在時刻の会議室予約情報６２に登録されていると判定し、ステップＤ８に進む。
【０１２１】
受信した社員コードが、その社員コードを送信した入退室監視部２１が設置されている会議室について、社員コードを受信した年月日および時分の会議の参加予定者として登録されていないと、受信した社員コードが現在時刻の会議室予約情報６２に登録されていないと判定し、ステップＤ１１に進む。ステップＤ５〜ステップＤ７は、判定ステップである。
【０１２２】
ステップＤ８では、入退室管理部１２は、受信した社員コードを入室管理情報６３に記録つまり登録する。ステップＤ９では、入退室管理部１２は、当該会議室の入退室監視部２１に扉のロック解除の信号たとえば扉の解錠を指示する情報を送信する。ステップＤ１０では、入退室監視部２１は、扉のロックを解除し、会議室入退室処理を終了する。ステップＤ１１では、入退室管理部１２は、モニタ３０の表示監視部３３に、表示制御信号、たとえば表示部３１を非表示状態にすることを指示する情報を送信して、ステップＤ８に進む。
【０１２３】
図２１は、会議監視部１４によって実行される会議監視処理の処理手順を示すフローチャートである。利用者が、たとえばサーバ１０によって端末４０に表示されるメインメニューの中から、会議室の監視の開始を選択すると、ステップＥ１に移る。
【０１２４】
ステップＥ１では、システムクロックが１分経過したか否かを判定する。システムクロックは、サーバ１０のＣＰＵがカウントする内部タイマでもよいし、ＲＴＣ（Real Time Clock）でもよい。ＲＴＣを用いる場合は、サーバ１０にＲＴＣを搭載する必要がある。システムクロックが１分経過すると、ステップＥ３に進み、システムクロックが１分経過しないと、ステップＥ２に進む。予約時間が１分単位であるので１分ごとに監視する。
【０１２５】
ステップＥ２では、会議室の監視を終了するか否かを判定する。たとえば、利用者が、サーバ１０によって端末４０に表示されるメインメニューの中から、会議室の監視の終了を選択すると、会議監視処理を終了し、会議室の監視の終了を選択しないと、ステップＥ１に戻る。
【０１２６】
ステップＥ３では、すべての施設つまり会議室に対してチェックを完了したか否かを判定する。すべての施設つまり会議室に対してチェックを完了すると、ステップＥ１に戻り、すべての施設つまり会議室に対してチェックを完了していないと、ステップＥ４に進む。ステップＥ４では、施設を順番に１つ選択する。以下、選択した施設を「選択施設」という。ステップＥ５では、会議室制御処理を実行した後、ステップＥ３に戻る。
【０１２７】
図２２は、会議監視処理に含まれる会議室制御処理の処理手順を示すフローチャートである。図２１に示したフローチャートのステップＥ５の処理で、ステップＦ１に移る。会議室制御処理は、会議監視部１４によって実行される。ステップＦ１では、選択施設について、会議室予約部１１によって記憶される会議室予約情報６２と、入退室管理部１２によって記憶される入室社員情報６３とを照合する。
【０１２８】
ステップＦ２では、入室社員情報６３にあるすべての社員コードは、現在時刻の会議室予約情報６２に登録されているか否かを判定する。入室社員情報６３にあるすべての社員コードが現在時刻の会議室予約情報６２に登録されていると、会議室制御処理を終了し、入室社員情報６３にあるすべての社員コードが現在時刻の会議室予約情報６２に登録されていないと、ステップＦ３に進む。ステップＦ３では、モニタ３０の表示監視部３３に、表示制御信号を送信して、会議室制御処理を終了する。
【０１２９】
図２３は、利用者および表示制御部３４によって実行される表示制御設定処理の処理手順を示すフローチャートである。利用者が、会議室２０に設置されている操作部３２、たとえばリモコンによって、表示制御を設定するための設定ボタンを押すと、あるいは表示部３１の表示画面に表示される表示制御を設定するための設定アイコンをクリックすると、ステップＧ１に移る。
【０１３０】
ステップＧ１では、表示制御部３４は、モニタ表示制御設定画面７５を表示部３１に表示する。ステップＧ２では、利用者は、設定を終了するか否かを判断する。設定を終了する場合は、ステップＧ６に進み、設定を終了しない場合は、ステップＧ３に進む。ステップＧ３では、利用者は、全画面を制限する設定にするか否かを判断する。全画面を制限する設定にする場合は、ステップＧ７に進み、全画面を制限する設定にしない場合は、ステップＧ４に進む。
【０１３１】
ステップＧ４では、利用者は、領域を指定する制限方法を設定するか否かを判断する。領域を指定する制限方法を設定する場合は、ステップＧ９に進み、領域を指定する制限方法を設定しない場合は、ステップＧ５に進む。ステップＧ５では、利用者は、プログラムを指定する制限方法を設定するか否かを判断する。プログラムを指定する制限方法を設定する場合は、ステップＧ１４に進み、プログラムを指定する制限方法を設定しない場合は、ステップＧ２に戻る。
【０１３２】
ステップＧ６では、利用者は、閉じるボタン７５６を押す。閉じるボタン７５６が押されると、表示制御部３４は、表示部３１に表示したモニタ表示制御設定画面７５を閉じて、表示制御設定処理を終了する。ステップＧ７では、利用者は、「全画面を非表示にする」を選択する。具体的には、モニタ表示制御設定画面７５の全画面選択欄７５１を選択する。
【０１３３】
ステップＧ８では、ステップＧ７で全画面選択欄７５１が選択されると、表示制御部３４は、表示制御設定情報６４の「対象領域」に「全画面」、「表示制限方法」に「非表示」と記録つまり登録して、ステップＧ１に戻る。ステップＧ９では、利用者は、「表示制限を領域で指定する」を選択する。具体的には、モニタ表示制御設定画面７５の領域選択欄７５２を選択する。ステップＧ１０では、ステップＧ９で領域選択欄７５２が選択されると、表示制御部３４は、表示制御設定情報６４の「対象領域」に「指定」、「指定方法」に「領域」と記録つまり登録する。
【０１３４】
ステップＧ１１では、利用者は、表示制御方法を設定するか否かを判断する。表示制御方法を設定する場合は、ステップＧ１２に進み、表示制御方法を設定しない場合は、ステップＧ１に戻る。ステップＧ１２では、利用者は、モニタ表示制御設定画面７５の設定１ボタン７５４を押す。ステップＧ１３では、ステップＧ１２で設定１ボタン７５４が押されると、領域指定表示制御設定処理を実行した後、ステップＧ１に戻る。
【０１３５】
ステップＧ１４では、利用者は、「表示制限をプログラムで指定する」を選択する。具体的には、モニタ表示制御設定画面７５のプログラム選択欄７５３を選択する。ステップＧ１５では、ステップＧ１４でプログラム選択欄７５３が選択されると、表示制御部３４は、表示制御設定情報６４の「対象領域」に「指定」、「指定方法」に「プログラム」と記録つまり設定する。
【０１３６】
ステップＧ１６では、利用者は、表示制御方法を設定するか否かを判断する。表示制御方法を設定する場合は、ステップＧ１７に進み、表示制御方法を設定しない場合は、ステップＧ１に戻る。ステップＧ１７では、利用者は、モニタ表示制御設定画面７５の設定２ボタン７５５を押す。ステップＧ１８では、ステップＧ１７で設定２ボタン７５５が押されると、プログラム指定表示制御設定処理を実行した後、ステップＧ１に戻る。
【０１３７】
図２４は、表示制御設定処理に含まれる領域指定表示制御設定処理の処理手順を示すフローチャートである。図２３に示したフローチャートのステップＧ１３の処理で、ステップＨ１に移る。
【０１３８】
ステップＨ１では、表示制御部３４は、領域指定設定画面７６を表示部３１に表示する。ステップＨ２では、利用者は、表示制御領域を指定するか否かを判断する。表示制御領域を指定する場合は、ステップＨ６に進み、表示制御領域を指定しない場合は、ステップＨ３に進む。ステップＨ３では、利用者は、表示制御方法を設定するか否かを判断する。表示制御方法を設定する場合は、ステップＨ８に進み、表示制御方法を設定しない場合は、ステップＨ４に進む。
【０１３９】
ステップＨ４では、利用者は、設定を終了するか否かを判断する。設定を終了する場合は、ステップＨ５に進み、設定を終了しない場合は、ステップＨ２に戻る。ステップＨ５では、利用者は、領域指定設定画面７６の閉じるボタン７６４を押す。閉じるボタン７６４が押されると、表示制御部３４は、領域指定設定画面７６を閉じて、領域指定表示制御設定処理を終了する。
【０１４０】
ステップＨ６では、利用者は、領域指定欄７６１で、マウスのドラッグアンドドロップなどによって領域を指定する。具体的には、矩形の領域の対角の頂点をマウスによって指定する。ステップＨ７では、ステップＨ６で領域が指定されると、表示制御部３４は、
表示制御設定情報６４の「指定領域」に、指定された領域の範囲を記録つまり登録して、ステップＨ２に戻る。
【０１４１】
ステップＨ８では、利用者は、表示制御方法設定ボタン７６３を押す。ステップＨ９では、ステップＨ８で表示制御方法設定ボタン７６３が押されると、全画面表示制御設定処理を実行した後、ステップＨ２に戻る。
【０１４２】
図２５は、表示制御設定処理に含まれるプログラム指定表示制御設定処理の処理手順を示すフローチャートである。図２３に示したフローチャートのステップＧ１８の処理で、ステップＪ１に移る。
【０１４３】
ステップＪ１では、表示制御部３４は、プログラム指定画面７７を表示する。ステップＪ２では、利用者は、プログラムを登録したいか否かを判断する。プログラムを登録したい場合は、ステップＪ７に進み、プログラムを登録したくない場合は、ステップＪ３に進む。ステップＪ３では、利用者は、プログラムを削除したい否かを判断する。プログラムを削除したい場合は、ステップＪ１０に進み、プログラムを削除したくない場合は、ステップＪ４に進む。
【０１４４】
ステップＪ４では、利用者は、表示制御方法を設定するか否かを判断する。表示制御方法を設定する場合は、ステップＪ１３に進み、表示制御方法を設定しない場合は、ステップＪ５に進む。ステップＪ５では、利用者は、設定を終了するか否かを判断する。設定を終了する場合は、ステップＪ６に進み、設定を終了しない場合は、ステップＪ２に戻る。ステップＪ６では、利用者は、プログラム指定画面７７の閉じるボタン７７６を押す。閉じるボタン７７６が押されると、表示制御部３４は、プログラム指定画面７７を閉じて、プログラム指定表示制御設定処理を終了する。
【０１４５】
ステップＪ７では、利用者は、新規登録プログラム入力欄７７３に登録したいプログラムの実行ファイル名を入力する。ステップＪ８では、利用者は、追加ボタン７７４を押す。ステップＪ９では、ステップＪ８で追加ボタン７７４が押されると、表示制御部３４は、新規登録プログラム入力欄７７３に入力されたプログラムの実行ファイル名を、「プログラムリスト」つまりプログラムリスト表示欄７７１、および表示制御設定情報６４の「指定プログラム」に追加して、ステップＪ２に戻る。
【０１４６】
ステップＪ１０では、利用者は、「プログラムリスト」つまりプログラムリスト表示欄７７１で削除したいプログラムが表示されている行を選択する。ステップＪ１１では、利用者は、削除ボタン７７２を押す。ステップＪ１２では、ステップＪ１１で削除ボタン７７２が押されると、表示制御部３４は、「プログラムリスト」つまりプログラムリスト表示欄７７１、および表示制御設定情報６４の「指定プログラム」から、プログラムリスト表示欄７７１で選択されたプログラムを削除して、ステップＪ２に戻る。
【０１４７】
ステップＪ１３では、利用者は、表示制御方法設定ボタン７７５を押す。ステップＪ１４では、ステップＪ１３で表示制御方法設定ボタン７７５が押されると、全画面表示制御設定処理を実行した後、ステップＪ２に戻る。
【０１４８】
図２６は、領域指定表示制御設定処理およびプログラム指定表示制御設定処理に含まれる全画面表示制御設定処理の処理手順を示すフローチャートである。図２４に示したフローチャートのステップＨ９の処理、および図２５に示したフローチャートのステップＪ１４の処理で、ステップＫ１に移る。
【０１４９】
ステップＫ１では、表示制御部３４は、表示制御方法設定画面７８を表示する。ステップＫ２では、利用者は、表示制御領域に表示される文字列を変換するか否かを判断する。表示制御領域に表示される文字列を変換する場合は、ステップＫ７に進み、表示制御領域に表示される文字列を変換しない場合は、ステップＫ３に進む。
【０１５０】
ステップＫ３では、利用者は、表示制御領域を方向制限にするか否かを判断する。表示制御領域を方向制限にする場合は、ステップＫ１７に進み、表示制御領域を方向制限にしない場合は、ステップＫ４に進む。ステップＫ４では、利用者は、表示制御領域を非表示にするか否かを判断する。表示制御領域を非表示にする場合は、ステップＫ１９に進み、表示制御領域を非表示にしない場合は、ステップＫ５に進む。
【０１５１】
ステップＫ５では、利用者は、設定を終了するか否かを判断する。設定を終了する場合は、ステップＫ６に進み、設定を終了しない場合は、ステップＫ２に戻る。ステップＫ６では、利用者は、表示制御方法設定画面７８の閉じるボタン７８９を押す。閉じるボタン７８９が押されると、表示制御部３４は、表示制御方法設定画面７８を閉じて、全画面表示制御設定処理を終了する。
【０１５２】
ステップＫ７では、利用者は、「変換して表示」を選択する。具体的には、表示制御方法設定画面７８の変換して表示選択欄７８２を選択する。ステップＫ８では、表示制御部３４は、表示制御設定情報６４の「表示制限方法」に「変換」と記録つまり登録する。ステップＫ９では、利用者は、変換法則を登録したいか否かを判断する。変換法則を登録したい場合は、ステップＫ１１に進み、変換法則を登録したくない場合は、ステップＫ１０に進む。
【０１５３】
ステップＫ１０では、利用者は、変換法則を削除したいか否かを判断する。変換法則を削除したい場合は、ステップＫ１４に進み、変換法則を削除したくない場合は、ステップＫ２に戻る。ステップＫ１１では、利用者は、「新規変換法則」つまり新規変換法則入力欄７８６の「変換前」と付記された入力欄に変換前の文字列を入力し、「変換後」と付記された入力欄に変換後の文字列を入力する。ステップＫ１２では、利用者は、追加ボタン７８７を押す。ステップＫ１３では、ステップＫ１２で追加ボタン７８７が押されると、表示制御部３４は、「変換前」および「変換後」の文字列を、「変換法則リスト」つまり変換法則リスト表示欄７８４、および表示制御設定情報６４の「変換法則」に追加して、ステップＫ２に戻る。
【０１５４】
ステップＫ１４では、利用者は、「変換法則リスト」つまり変換法則リスト表示欄７８４で削除したい変換法則が表示されている行を選択する。ステップＫ１５では、利用者は、削除ボタン７８５を押す。ステップＫ１６では、ステップＫ１５で削除ボタン７８５が押されると、表示制御部３４は、「変換法則リスト」つまり変換法則リスト表示欄７８４および表示制御設定情報６４の「変換法則」から、選択された変換法則を削除して、ステップＫ２に戻る。
【０１５５】
ステップＫ１７では、利用者は、「方向制限」つまり方向制限選択欄７８３を選択し、さらに、左右選択欄７８８で「左」もしくは「右」を選択する。ステップＫ１８では、表示制御部３４は、表示制御設定情報６４の「表示制限方法」に「方向」、「制限方向」に左右選択欄７８８で選択された「左」もしくは「右」を記録つまり登録して、ステップＫ２に戻る。
【０１５６】
ステップＫ１９では、利用者は、「非表示」を選択する。具体的には、表示制御方法設定画面７８の非表示選択欄７８１を選択する。ステップＫ２０では、ステップＫ１９で非表示選択欄７８１が選択されると、表示制御部３４は、表示制御設定情報６４の「表示制限方法」に「非表示」と記録つまり登録して、ステップＫ２に戻る。
【０１５７】
図２７は、表示監視部３３によって実行されるモニタ表示監視処理の処理手順を示すフローチャートである。利用者が、モニタ表示制御設定画面７５で設定を行うと、ステップＬ１に移る。
【０１５８】
ステップＬ１では、モニタ表示制御領域決定処理を実行する。ステップＬ２では、会議監視部１４から表示制御信号を受信したか否かを判定する。表示制御信号を受信すると、ステップＬ３に進み、表示制御信号を受信しないと、ステップＬ１に戻る。ステップＬ３では、モニタ表示制御処理を表示制御部３４に実行させる。ステップＬ２、ステップＬ３、および図２０に示したフローチャートのステップＤ１１は、制御ステップである。
【０１５９】
ステップＬ４では、表示制御を終了するか否かを判定する。たとえばリモコン１４から表示制御の終了を指示する情報を受信すると、表示制御を終了すると判定し、モニタ表示監視処理を終了し、リモコン１４から表示制御の終了を指示する情報を受信しないと、表示制御を終了しないと判定し、ステップＬ１に戻る。
【０１６０】
図２８は、モニタ表示監視処理に含まれるモニタ表示制御領域決定処理の処理手順を示すフローチャートである。図２７に示したフローチャートのステップＬ１の処理で、ステップＭ１に移る。モニタ表示制御領域決定処理は、表示監視部３１によって実行される。
【０１６１】
ステップＭ１では、表示制御設定情報６４の「対象領域」は「全画面」であるか否かを判定する。「対象領域」が「全画面」であると、ステップＭ３に進み、「対象領域」が「全画面」でないと、ステップＭ２に進む。ステップＭ２では、表示制御設定情報６４の「対象領域」は「指定」であるか否かを判定する。「対象領域」が「指定」であると、ステップＭ４に進み、「対象領域」が「指定」でないと、モニタ表示制御領域決定処理を終了する。
【０１６２】
ステップＭ３では、全画面を、表示制御情報６５の「制限決定領域」に登録する。すなわち、表示部３１の表示画面の全領域の範囲を、表示制御情報６５の「制限決定領域」に登録する。ステップＭ４では、表示制御設定情報６４の「指定方法」は「領域」であるか否かを判定する。「指定方法」が「領域」であると、ステップＭ６に進み、「指定方法」が「領域」でないと、ステップＭ５に進む。ステップＭ５では、表示制御設定情報６４の「指定方法」は「プログラム」であるか否かを判定する。「指定方法」が「プログラム」であると、ステップＭ７に進み、「指定方法」が「プログラム」でないと、モニタ表示制御領域決定処理を終了する。
【０１６３】
ステップＭ６では、表示制御設定情報６４の「指定領域」で指定された範囲を、表示制御情報６５の「制限決定領域」に登録して、モニタ表示制御領域決定処理を終了する。ステップＭ７では、プログラム指定モニタ表示制御領域決定処理を実行した後、モニタ表示制御領域決定処理を終了する。
【０１６４】
図２９は、モニタ表示制御領域決定処理に含まれるプログラム指定モニタ表示制御領域決定処理の処理手順を示すフローチャートである。図２８に示したフローチャートのステップＭ７の処理で、ステップＮ１に移る。プログラム指定モニタ表示制御領域決定処理は、表示監視部３１によって実行される。
【０１６５】
ステップＮ１では、表示制御設定情報６４の「指定プログラム」をすべてチェックしたか否かを判定する。表示制御設定情報６４の「指定プログラム」をすべてチェックすると、プログラム指定モニタ表示制御領域決定処理を終了し、表示制御設定情報６４の「指定プログラム」をすべてチェックしていないと、ステップＮ２に進む。ステップＮ２では、表示制御設定情報６４の「指定プログラム」の中からを１つのプログラムを選択する。以下、選択されたプログラムを「選択指定プログラム」という。
【０１６６】
ステップＮ３では、モニタ３０で動作中のプログラムの中に、「選択指定プログラム」と一致するものがあるか否かを判定する。以下、一致したものを「一致プログラム」という。モニタ３０で動作中のプログラムの中に、「選択指定プログラム」と一致するものがあると、ステップＮ４に進み、モニタ３０で動作中のプログラムの中に、「選択指定プログラム」と一致するものがないと、ステップＮ１に戻る。ステップＮ４では、一致プログラムの表示領域をＯＳから取得し、取得した表示領域を表示制御情報６５の「制限決定領域」に登録して、ステップＮ１に戻る。
【０１６７】
図３０は、表示制御部３４によって実行されるモニタ表示制御処理の処理手順を示すフローチャートである。図２７に示したフローチャートのステップＬ３の処理で、ステップＰ１に移る。
【０１６８】
ステップＰ１では、表示制御情報６５の「制限決定領域」をすべてチェックしたか否かを判定する。表示制御情報６５の「制限決定領域」をすべてチェックすると、モニタ表示制御処理を終了し、表示制御情報６５の「制限決定領域」をすべてチェックしていないと、ステップＰ２に進む。ステップＰ２では、表示制御情報６５の「制限決定領域」の中から制限決定領域を１つ選択する。以下、選択された制限決定領域を「選択制限決定領域」という。
【０１６９】
ステップＰ３では、表示制御設定情報６４の「制限方法」は「非表示」であるか否かを判定する。「制限方法」が「非表示」であると、ステップＰ４に進み、「制限方法」が「非表示」でないと、ステップＰ５に進む。ステップＰ４では、表示部３１の表示画面のうち、選択制限決定領域の表示を消して、つまり選択制限決定領域を非表示状態として、ステップＰ１に戻る。
【０１７０】
ステップＰ５では、表示制御設定情報６４の「制限方法」は「変換」であるか否かを判定する。「制限方法」が「変換」であると、ステップＰ６に進み、「制限方法」が「変換」でないと、ステップＰ７に進む。ステップＰ６では、変換処理を実行した後、ステップＰ１に戻る。
【０１７１】
ステップＰ７では、表示制御設定情報６４の「制限方法」は「方向」であるか否かを判定する。「制限方法」が「方向」であると、ステップＰ８に進み、「制限方法」が「方向」でないと、ステップＰ１に戻る。ステップＰ８では、モニタ３０の表示部３１がデュアルビュー液晶ディスプレイの場合、表示制御設定情報６４の「制限方向」に当たる方向に対する表示を消して、つまり表示制御設定情報６４の「制限方向」に当たる方向に対する表示を非表示状態にして、ステップＰ１に戻る。
【０１７２】
図３１は、モニタ表示制御処理に含まれる変換処理の処理手順を示すフローチャートである。図３０に示したフローチャートのステップＰ６の処理で、ステップＱ１に移る。変換処理は、表示制御部３４によって実行される。
【０１７３】
ステップＱ１では、表示制御設定情報６４の「変換法則」をすべてチェックしたか否かを判定する。「変換法則」をすべてチェックすると、変換処理を終了し、「変換法則」をすべてチェックしていないと、ステップＱ２に進む。ステップＱ２では、表示制御設定情報６４の「変換法則」の中から変換法則を１つ選択する。以下、選択された変換法則を「選択変換法則」という。
【０１７４】
ステップＱ３では、選択制限決定領域内を、選択変換法則の「変更前」に指定された文字列でパターンマッチングする。パターンマッチングは、たとえば、単純なテキスト検索、あるいは表示画面に表示される内容を画像として扱い、光学式文字読取装置（Op tical Character Reader；略称「ＯＣＲ」）などで用いられる文字認識処理を含めた形式でのパターンマッチングなどの一般的な方法を用いる。
【０１７５】
ステップＱ４では、パターンマッチングしたか否かを判定する。選択変換法則の「変更前」に指定された文字列に一致する文字列があると、パターンマッチングしたと判定し、ステップＱ５に進み、選択変換法則の「変更前」に指定された文字列に一致する文字列がないと、パターンマッチングしないと判定し、ステップＱ１に戻る。ステップＱ５では、選択変換法則の「変更前」に指定された文字列に一致する文字列を、選択変換法則の「変更後」に指定された文字列で置き換えて、ステップＱ１に戻る。この例では文字列で置き換えたが、画像として表示内容を置き換えてもよい。
【０１７６】
このように、表示部３１によって、表示画面を見る方向に対して異なる表示形態にて表示され、会議室予約部１１によって、各人を識別するための社員コードのうち、表示部３１にて表示される情報を見ることが許可されている人の社員コードが参加者リストとして記憶され、入退室管理部１２および入退室監視部２１によって、表示部３１が設置されている会議室２０に入室する人の社員コードが特定され、入退室管理部１２によって、入退室管理部１２および入退室監視部２１によって特定された社員コードが、会議室予約部１１に記憶された参加者リストのいずれかに合致するか否かが判定される。
【０１７７】
そして、入退室管理部１２、表示監視部３３および表示制御部３４によって、入退室管理部１２によって判定された判定結果が、入退室管理部１２および入退室監視部２１によって特定された社員コードが、会議室予約部１１に記憶される参加者リストのいずれにも合致しないことを示しているとき、制限方向に対する表示形態を、表示する情報がすべて見える状態から表示する情報がすべて見える状態とは異なる非表示状態に換えられる。
【０１７８】
したがって、第三者が会議室などに入室しても表示画面に表示される情報の第三者への漏洩を防止することができる。
【０１７９】
さらに、図２０に示したフローチャートのステップＤ２〜ステップＤ４では、表示部３１が設置されている会議室２０に入室する人の社員コードを特定する。図２０に示したフローチャートのステップＤ５〜ステップＤ７では、図２０に示したフローチャートのステップＤ２〜ステップＤ４で特定された社員コードが、表示部３１にて表示される情報を見ることが許可されている人の社員コードを参加者リストとして記憶する会議室予約部１１に記憶される参加者リストのいずれかに合致するか否かを判定する。
【０１８０】
そして、図２０に示したフローチャートのステップＤ１１、ならびに図２７に示したフローチャートのステップＬ２およびステップＬ３では、図２０に示したフローチャートのステップＤ５〜ステップＤ７で判定された判定結果が、図２０に示したフローチャートのステップＤ２〜ステップＤ４で特定された社員コードが会議室予約部１１に記憶される参加者リストのいずれにも合致しないことを示しているとき、制限方向に対する表示部３１の表示形態を、表示する情報がすべて見える状態から表示する情報がすべて見える状態とは異なる非表示状態に換える。
【０１８１】
したがって、本発明に係る表示方法を適用すれば、第三者が会議室などに入室しても表示画面に表示される情報の第三者への漏洩を防止することができる。
【図面の簡単な説明】
【０１８２】
【図１】本発明の実施の一形態であるセキュリティ管理装置１の構成を示すブロック図である。
【図２】社員情報記録部１３によって記憶される社員情報６１の構成の一例を示す図である。
【図３】会議室予約部１１によって記憶される会議室予約情報６２の構成の一例を示す図である。
【図４】入退室管理部１２によって記憶される入室社員情報６３の構成の一例を示す図である。
【図５】表示制御部３４によって記憶される表示制御設定情報６４の構成の一例を示す図である。
【図６】表示監視部３３によって記憶される表示制御情報６５の構成の一例を示す図である。
【図７】会議室予約部１１によって表示される会議室予約状況確認画面７１の一例を示す図である。
【図８】会議室予約部１１によって表示される会議室予約入力画面７２の一例を示す図である。
【図９】会議室予約部１１によって表示される会議室予約登録完了画面７３の一例を示す図である。
【図１０】会議室予約部１１によって表示される会議室予約未登録確認画面７４の一例を示す図である。
【図１１】表示制御部３４によって表示されるモニタ表示制御設定画面７５の一例を示す図である。
【図１２】表示制御部３４によって表示される領域指定設定画面７６の一例を示す図である。
【図１３】表示制御部３４によって表示されるプログラム指定画面７７の一例を示す図である。
【図１４】表示制御部３４によって表示される表示制御方法設定画面７８の一例を示す図である。
【図１５】第三者が入室するときに非表示とすることを説明するための図である。
【図１６】第三者が入室するときに視野角を変更することを説明するための図である。
【図１７】利用者および会議室予約部１１によって実行される会議室管理処理の処理手順を示すフローチャートである。
【図１８】会議室管理処理に含まれる予約確認処理の処理手順を示すフローチャートである。
【図１９】会議室管理処理に含まれる会議室予約処理の処理手順を示すフローチャートである。
【図２０】利用者、入退室管理部１２および入退室監視部２１によって実行される会議室入退室処理の処理手順を示すフローチャートである。
【０１８３】
【図２１】会議監視部１４によって実行される会議監視処理の処理手順を示すフローチャートである。
【図２２】会議監視処理に含まれる会議室制御処理の処理手順を示すフローチャートである。
【図２３】利用者および表示制御部３４によって実行される表示制御設定処理の処理手順を示すフローチャートである。
【図２４】表示制御設定処理に含まれる領域指定表示制御設定処理の処理手順を示すフローチャートである。
【図２５】表示制御設定処理に含まれるプログラム指定表示制御設定処理の処理手順を示すフローチャートである。
【図２６】領域指定表示制御設定処理およびプログラム指定表示制御設定処理に含まれる全画面表示制御設定処理の処理手順を示すフローチャートである。
【図２７】表示監視部３３によって実行されるモニタ表示監視処理の処理手順を示すフローチャートである。
【図２８】モニタ表示監視処理に含まれるモニタ表示制御領域決定処理の処理手順を示すフローチャートである。
【図２９】モニタ表示制御領域決定処理に含まれるプログラム指定モニタ表示制御領域決定処理の処理手順を示すフローチャートである。
【図３０】表示制御部３４によって実行されるモニタ表示制御処理の処理手順を示すフローチャートである。
【図３１】モニタ表示制御処理に含まれる変換処理の処理手順を示すフローチャートである。
【符号の説明】
【０１８４】
１  セキュリティ管理装置
１０  サーバ
１１  会議室予約部
１２  入退室管理部
１３  社員情報記録部
１４  会議監視部
２０  会議室
２１  入退室監視部
２２  施錠部
２３  扉
２４  第三者
２５  第三者の視線
２６  会議参加者
２７  会議参加者の視線
３０  モニタ
３１  表示部
３２  操作部
３３  表示監視部
３４  表示制御部
３８  視差バリア
３９  画素
４０  端末
５０  ネットワーク
６１  社員情報
６２  会議室予約情報
６３  入室社員情報
６４  表示制御設定情報
６５  表示制御情報
７１  会議室予約状況確認画面
７２  会議室予約入力画面
７３  会議室予約登録完了画面
７４  会議室予約未登録確認画面
７５  モニタ表示制御設定画面
７６  領域指定設定画面
７７  プログラム指定画面
７８  表示制御方法設定画面
【図１】
0004898733.tif 000002
【図２】
0004898733.tif 000003
【図３】
0004898733.tif 000004
【図４】
0004898733.tif 000005
【図５】
0004898733.tif 000006
【図６】
0004898733.tif 000007
【図７】
0004898733.tif 000008
【図８】
0004898733.tif 000009
【図９】
0004898733.tif 000010
【図１０】
0004898733.tif 000011
【図１１】
0004898733.tif 000012
【図１２】
0004898733.tif 000013
【図１３】
0004898733.tif 000014
【図１４】
0004898733.tif 000015
【図１５】
0004898733.tif 000016
【図１６】
0004898733.tif 000017
【図１７】
0004898733.tif 000018
【図１８】
0004898733.tif 000019
【図１９】
0004898733.tif 000020
【図２０】
0004898733.tif 000021
【図２１】
0004898733.tif 000022
【図２２】
0004898733.tif 000023
【図２３】
0004898733.tif 000024
【図２４】
0004898733.tif 000025
【図２５】
0004898733.tif 000026
【図２６】
0004898733.tif 000027
【図２７】
0004898733.tif 000028
【図２８】
0004898733.tif 000029
【図２９】
0004898733.tif 000030
【図３０】
0004898733.tif 000031
【図３１】
0004898733.tif 000032